(57)【要約】【課題】放送を受信するためのアンテナが機器と一体又は内蔵され、そのアンテナの指向性が変更できる装置において、設定乃至調整の容易化を図る。【解決手段】指向性を制御して受信状態、例えば各方向の受信電力や雑音レベル等を計測する手段（４）を備え、その計測した情報を、受信装置を基準とした方位に関係付けて表示する（５，７，８）。【選択図】図２
2007312189.tif 000002
【特許請求の範囲】
【請求項１】
デジタル放送を受信し、表示するテレビジョン受信装置であって、
放送を受信するための指向性可変アンテナ装置を備え、
前記指向性可変アンテナ装置の指向性を制御する制御手段と、
各指向性における、各方向の受信状態を計測する計測手段と、
前記計測し、解析する手段により得られた受信状態に基づき
計測により得られた受信状態情報を表示画面上に、受信装置を基準とする方位に関係付けて表示する表示手段とを備え、
前記制御手段は、前記計測手段により得られた受信状態に基づき、前記表示手段を制御する
ことを特徴とするテレビジョン受信装置。
【請求項２】
前記受信状態が、受信電力又は雑音レベルであることを特徴とする請求項１に記載のテレビジョン受信装置。
【請求項３】
前記受信状態が、到来波の方向であることを特徴とする請求項１に記載のテレビジョン受信装置。
【請求項４】
前記計測手段が、複数のチャネルについての受信状態を総合的に評価し、受信のための最適な方向を求め、
前記表示する手段が前記受信状態として、前記受信のための最適な方向を表示することを特徴とする請求項１に記載のテレビジョン受信装置。
【請求項５】
前記指向性可変アンテナ装置を複数個備え、
該複数の指向性可変アンテナからの受信信号を合成する手段をさらに備え、
前記計測手段が、前記複数の指向性可変アンテナ装置のそれぞれの受信状態と、前記複数の指向性可変アンテナからの受信信号を合成することにより得られる受信信号の状態を表す合成受信状態とを計測し、
前記制御手段が、前記複数の指向性可変アンテナ装置のそれぞれの受信状態と、前記合成受信状態とを同じ前記表示手段の同じ表示画面上に表示させることを特徴とする請求項１に記載のテレビジョン受信装置。
【請求項６】
前記計測手段で得られた受信状態を記憶する記憶手段をさらに有し、
前記制御手段は前記計測手段で計測された現在の受信状態を、前記記憶手段に記憶された過去の受信状態と比較して、特定の方向の受信状態が劣化しているときにこれを検知し、
前記表示手段により又は音声により前記劣化をユーザに知らせる
ことを特徴とする請求項１に記載のテレビジョン受信装置。
【請求項７】
前記指向性可変アンテナ装置が、エスパアンテナであることを特徴とする請求項１に記載のテレビジョン受信装置。
【請求項８】
前記指向性可変アンテナ装置が、複数のアンテナと、アンテナ選択部とを有することを特徴とする請求項１に記載のテレビジョン受信装置。
【請求項９】
前記指向性可変アンテナ装置が、複数のアンテナと、アダプティブアレイ制御部とを有することを特徴とする請求項１に記載のテレビジョン受信装置。
【請求項１０】
前記アダプティブアレイ制御部が、前記複数のアンテナの各々の受信信号を演算することで主波及び副波の到来方向を推測し、
前記計測手段が、前記複数のアンテナから得られる受信電力を表す情報と、前記主波及び副波の到来方向とに基づく演算を行うことで各方位の受信電力を演算し、
前記制御手段が、前記計測手段で演算された各方位の受信電力を前記表示手段に表示させる
ことを特徴とする請求項９に記載のテレビジョン受信装置。
【請求項１１】
前記表示が、２次元的表示であることを特徴とする請求項１に記載のテレビジョン受信装置。
【請求項１２】
前記表示が、３次元的表示であることを特徴とする請求項１に記載のテレビジョン受信装置。
【請求項１３】
前記表示において、複数のチャンネルの受信状態を同時に、互いに重ねて表示することを特徴とする請求項１に記載のテレビジョン受信装置。
【請求項１４】
前記表示において、複数のチャンネルの受信状態を互いに異なる色で表示することを特徴とする請求項１に記載のテレビジョン受信装置。
【請求項１５】
前記表示を、常時行うか、前記受信装置が特定の状態のときにのみ行うか、前記受信装置が特定に状態のときに行わないかの選択のための手段を備えることを特徴とする請求項１に記載のテレビジョン受信装置。
【発明の詳細な説明】
【技術分野】
【０００１】
本発明は、テレビジョン受信装置に関するもので指向性を制御可能なアンテナを一体化又は内蔵したテレビジョン受信装置に関するものである。
【背景技術】
【０００２】
従来からロットアンテナや筐体を利用した、アンテナ内蔵型のテレビジョン受信装置が知られている。例えば特許文献１では筐体やシャーシを利用してアンテナの利得向上を改善している。
【０００３】
また、アンテナの取り付け作業や視聴のためのアンテナ設定を目的に、アンテナ設置手順を映像や音声で表示、提供する特許文献２に記載の技術が知られている。
【０００４】
さらに、受信状態を表示する方法として、１次元にて受信電力や受信感度を表示することも特許文献３に開示されている。
【０００５】
他方において特許文献４のエスパアンテナやマイクロストリップラインによるバトラーマトリクス（特許文献５）やアダプティブアレイにより、容易にアンテナの指向性を制御する技術も知られている。
【０００６】
【特許文献１】特開２００５−２９５１３５号公報
【特許文献２】特開平１１−２６６４１２号公報
【特許文献３】特開２００４−１８０２７１号公報
【特許文献４】特開２００２−１６４３２号公報
【特許文献５】特開平０８−２５０９２３号公報
【発明の開示】
【発明が解決しようとする課題】
【０００７】
しかしながら、従来のアンテナ装置を備えたテレビジョン受信装置では、受信電力や受信感度が表示されだけであるので、受信装置をどのように設定するのが最善となるのかが不明であり、テレビジョン受信装置の設定乃至調整が困難であり、時間が掛かるという問題があった。
【課題を解決するための手段】
【０００８】
本発明は、
デジタル放送を受信し、表示するテレビジョン受信装置であって、
放送を受信するための指向性可変アンテナ装置を備え、
前記指向性可変アンテナ装置の指向性を制御する制御手段と、
各指向性における、各方向の受信状態を計測する計測手段と、
前記計測し、解析する手段により得られた受信状態に基づき
計測により得られた受信状態情報を表示画面上に、受信装置を基準とする方位に関係付けて表示する表示手段とを備え、
前記制御手段は、前記計測手段により得られた受信状態に基づき、前記表示手段を制御する
ことを特徴とするテレビジョン受信装置を提供する。
【発明の効果】
【０００９】
本発明によれば、受信状態をテレビジョン受信装置を基準とする方位と関連付けて表示されるので、テレビジョン受信装置の設定乃至調整を容易に、あるいは短時間で行うことができる。
【発明を実施するための最良の形態】
【００１０】
以下本発明の実施の形態を、図面を用いて説明する。本発明は、テレビジョン放送受信のみを目的とする受信専用機に限定されず、例えば携帯電話に内蔵されたテレビジョン受信装置能を有する部分にも適用可能であり、本願における「テレビジョン受信装置」は種々の形態でテレビジョン放送を受信する機能を有する機器を含むものとして解釈されるべきである。
【００１１】
実施の形態１．
図１はこの発明の実施の形態１のテレビジョン受信装置を示す。
【００１２】
図１において、１ａは受信アンテナ、１ｂは無給電アンテナでアンテナの下部に取り付けられたバリキャップ１ｃによりアンテナのインピーダンスが変化し、受信アンテナ１ａの相互インピーダンスが変化し、これにより指向性が変化する。受信アンテナ１ａ及び無給電アンテナ１ｂにより指向性可変のエスパアンテナ２が構成されている。
【００１３】
３は給電アンテナの受信信号からチャンネルを選択し周波数変換をするチャンネル選択部、４はチャンネル選択部３の出力信号を復調処理し、受信電力や雑音等の受信状態情報Ｒｓを提供するデジタル復調部、５はデジタル復調部４から受信状態情報Ｒｓを受け取り、表示情報を生成する制御部であり、例えばプログラムされたコンピュータ、例えばマイコンで構成されている。制御部５はまた、無給電アンテナ１ｂに印加する電圧（指向性制御信号）Ｄｃを変化させることでエスパアンテナ２の指向性を変化させる。
【００１４】
６はデジタル復調部４から出力されるデジタル信号を映像信号に変換するデコーダ部、７は、デコーダ部６からの映像信号と、制御部５からの各方位に合わせた受信状態情報Ｒｓから作られた表示信号を混合して表示信号を作成する表示信号作成部、８は画面表示部、９は各方位の受信状態情報Ｒｓを記憶するメモリ、１０ａは使用者がテレビジョン受信装置を操作するためのリモコン１０ｂからの信号を受信するリモコン受信部である。
【００１５】
図２はこの発明の実施の形態１における、チャンネルの受信状態情報Ｒｓを、画面表示部８上に、受信装置の方位に関係付けて２次元に表示した例を示す。図３は同様に画面表示部８上に、受信装置の方位に関係付けて３次元に表現した例を示す。
【００１６】
以下、図１乃至図３を用いて本実施の形態１おけるテレビジョン受信装置について説明する。
【００１７】
例えばテレビジョン受信装置を設定するとき、制御部５は、無給電アンテナ１ｂに印加される電圧を段階的に変化させ、これにより、エスパアンテナ２の指向性を段階的に変化させる。例えば最大受信感度の方向（アンテナの向き）が１回転（３６０度）の１６分の１に当たる角度ずつ変化するように指向性を変化させる。そして、最大受信感度が各方向にあるときの、受信状態を表す情報を収集し、解析する。
この情報の収集及び解析に当たっては、例えば一定時間毎の電力を測定することで受信電力を得ることができ、またデジタル信号のパイロット信号から雑音電力等の受信状態情報Ｒｓを作成することができる。
【００１８】
作成された受信状態情報Ｒｓはメモリ９に記憶されると共に、受信状態情報Ｒｓに対応した表示信号Ｄｄが制御部５で生成され、表示信号作成部７において、デコーダ部６からの映像信号Ｖｄに重畳される。表示信号作成部７からの映像信号が表示部８に供給されて表示が行われる。
【００１９】
制御部５から出力される表示信号Ｄｄは、例えば受信装置を基準とした方位毎の受信電力や雑音の大きさを例えば図２のような極座標上の連続した線ＬＣで表すもの、或いは図３のような矢印ＡＲ１〜ＡＲ４で到来するテレビジョン信号の方向と大きさ（受信電力、雑音レベル）を表すものである。
なお、図２や図３の例では、「正面」、「背面」、「左」、「右」と言う文字ＣＦ，ＣＢ，ＣＬ，ＣＲも合せて表示されており、これにより受信装置を基準とした方位が表される。このような文字の代わりに、特定の記号を用いても受信装置を基準とした方位を表すこととしても良い。
【００２０】
なお、図２、図３では受信状態を画面ＳＣの一部に表示しているが、画面全体に表示することもでき、またウィンドウ形式であらわしてもよい。
【００２１】
以上のように受信アンテナの指向性を変化させ、各方位毎の受信状態情報Ｒｓを獲得し、画面に表示するように構成したので、例えばテレビジョン受信装置に一体化又は内蔵したアンテナを設置する場合や、携帯電話での受信のように移動した場所で受信する場合、最も電波の強い方向を的確に示すことで設定乃至調整を容易にかつ短時間で行うことができる。また自動的に指向性を変更する場合にも、時々刻々変化する伝送路の状況を画面に表示することで例えば携帯電話でテレビを視聴する場合、使用者がアンテナの自動追従機能によって最適な受信位置で受信をすることができる。例えば、通常はマイコンにより指向性を自動的に調節する一方、自動調節では対応できない場合には、テレビジョン受信機の設置場所の変更や、携帯電話を携帯している利用者の移動を、受信状態の表示により補助することが可能である。
【００２２】
実施の形態２．
図４はこの発明の実施の形態２における、複数チャンネの受信状態情報Ｒｓを、画面上の同じ位置に互いに重ねて２次元表示した例を示す。ここで各チャンネルの受信状態情報Ｒｓは色を変えて表示する例を示している。図４では、第１の色が実線Ｃ１で、第２の色が鎖線Ｃ２で、第３の色が点線Ｃ３で表されている。なお、このような複数のチャンネルの受信状態情報Ｒｓの表示のための信号も図１の制御部５で生成される。
このように複数のチャンネルを同時に表示することで使用者が次に選択するチャンネルの到来波の方向を知ることができるために、予め受信方向（受信感度が最大となる方向）を変えることでチャンネル切り換え直後から、確実に（より高感度で、或いはより少ないノイズで）受信をすることができる。
また、テレビジョン受信装置が固定受信装置の場合には、受信可能な全チャンネルを同時に全て表示することにより、固定受信装置を設置する際の総合判断が容易となる。
【００２３】
実施の形態３．
図５はこの発明の実施の形態３における、最適受信方向の表示に関する制御部５の処理を示すフローチャートであり、図６はその最適なアンテナの方向（受信感度が最大となる方向）の表示の例を示す。図５のフローチャートで示す処理も、図１の制御部５により行われる。
【００２４】
以下、図５および図６を用いて本実施の形態３おけるテレビジョン受信装置について説明する。
【００２５】
図５のフローチャートにおいて、先ずエスパアンテナ２を調整し、デジタル復調部４で受信装置を基準とする方位毎の受信状態情報Ｒｓを取得し、制御部５に送信する（ＳＴ１１）。制御部５では、この方位毎の受信状態情報Ｒｓに方位毎の補正係数を乗算する（ＳＴ１２）。この補正係数は、テレビジョン受信装置の筐体やシャーシによりアンテナの指向性が全方向に均一で無いことを考慮して定められたものである。例えばテレビジョン受信装置の正面側は表示デバイスにより感度が若干低下するため、そのような影響を打ち消すため実際の受信電力に対して１より大きい補正係数を掛ける（或いは他の方位に対する係数よりも相対的に大きい補正係数を掛ける）。このように補正係数を掛けることで正確な（テレビジョン受信装置自体の指向性（方位に対する減衰特性）の影響を補正した）方位毎の受信状態情報Ｒｓを得ることができる。
この補正された方位毎の受信状態情報Ｒｓを記憶し（ＳＴ１３）、記憶した情報の中から最大値の方向のサーチ及び各方位毎の積分をおこなう（ＳＴ１４、ＳＴ１５）。この二つの情報から、現在受信しているチャンネルの到来方向と指向性を可変したときの受信の成否を判断する（ＳＴ１６）。受信の成否を確認するためには実際に指向性を制御してもよい。このようにしてあるチャンネルの到来方向の推定と受信状態の判定（受信成否だけでなく、最大レベル、平均レベルから受信の余裕度を判定する）をおこない、次のチャンネルでも同様の処理をおこないチャンネル毎の到来方向の推定及び受信状態を判定する。全チャンネル状態を確認後、チャンネル毎の受信状態から最も多くチャンネルが受信できる方向を画面に表示する（ＳＴ１７）。ここではチャンネル毎の到来方向、方位毎に積分したデータから、方向毎の各チャンネルの受信状態を推定し、最も良い方向を選択し、画面上に表示する。（例えば最も受信が困難なチャンネルの到来方向を基準とし、他のチャンネルがその方向にテレビ受信機の向きを変えても受信可能かどうかを演算する。）
図６では一例として直線の矢印Ｄｘで上記した最適の方向を示し、回転矢印Ｒｘで回転角を表示することとしている。図６に示す表示は、直感的に認識可能であるので、テレビジョン受信装置の設定乃至調整が容易となる。
【００２６】
実施の形態４．
図７は、この発明の実施の形態４における、最適受信方向の表示に関する制御部５の処理を示すフローチャートであり、図８は、その最適受信方向の表示の一例である。
【００２７】
以下、図７および図８を用いて本実施の形態４おけるテレビジョン受信装置について説明する。
【００２８】
図７のフローチャートにおいて、先ずエスパアンテナ２を調整し、デジタル復調部４で方位毎の受信状態情報Ｒｓを取得し制御部５に送信する（ＳＴ１１）。
方位毎の受信状態情報Ｒｓをメモリ９に記憶する（ＳＴ２２）。これは後に過去の受信状態情報Ｒｓとして用いられる。
ステップＳＴ１１で取得した方位毎の受信状態情報Ｒｓは、メモリ９に記憶された過去の受信状態情報Ｒｓと比較され（ＳＴ２３）、その差分情報としての劣化量を制御部５が算出する（ＳＴ２４）。
この劣化量を予め決められたしきい値と比較し、しきい値よりも大きい場合には、算出している方位に障害物が存在することを使用者に知らせる（ＳＴ２５）。
たとえば、図８にあるように直線の矢印Ｄｙと「矢印の方向に障害物があります」と言う文字情報ＣＨとで、障害物についての情報を使用者に与える。
なお、ステップＳＴ２３でメモリ９に記憶された方位毎の受信状態情報Ｒｓは、後に「過去の受信状態情報Ｒｓ」として、ステップＳＴ２３における比較に用いられる。
ステップＳＴ２３において比較に用いられる「過去の受信状態情報Ｒｓ」としては、比較的長い時間前の過去、例えば設置時や定期的（日、週単位）な受信状態調査時の受信状態情報Ｒｓであってもよく、比較的短い時間前の過去、例えば前回の電源オフ時の受信状態情報Ｒｓであっても良い。例えば、固定受信装置では、比較的長い時間前の過去の受信状態情報Ｒｓを用いても良い一方、移動の多い携帯電話の受信装置の場合には、比較的長い時間前の過去の受信状態情報Ｒｓを用いるのが望ましい。
【００２９】
実施の形態５．
図９は、この発明の実施の形態５における、テレビジョン受信装置のブロック図であり、図１０はその最適受信方向の表示の一例である。
【００３０】
図９において、図１と同じ符号は同一または対応する部材を示す。
１１ａは第１の受信アンテナ、１１ｂは第１の無給電アンテナでアンテナの下部に取り付けられたバリキャップ１１ｃによりアンテナのインピーダンスが変化し、第１の受信アンテナ１１ａの相互インピーダンスを変化し、これにより指向性が変化する。
１３ａは第２の受信アンテナ、１３ｂは第２の無給電アンテナでアンテナの下部に取り付けられたバリキャップ１３ｃによりアンテナのインピーダンスが変化し、第２の受信アンテナ１３ａの相互インピーダンスが変化し、これにより指向性が変化する。
ここで、第１の受信アンテナ１１及び第１の無給電アンテナ１２により第１のエスパアンテナ１２が構成され、第２の受信アンテナ１３及び第２の無給電アンテナ１４により第２のエスパアンテナ１４が構成されている。
第１及び第２のエスパアンテナはともに指向性可変アンテナである。
例えば第１のエスパアンテナ１２はテレビジョン受信装置の左側に配置され、第２のエスパアンテナ１４はテレビジョン受信装置の右側に配置されるものであり、そのためにそれぞれ「左アンテナ」、「右アンテナ」とも呼ばれる。
【００３１】
１５は第１の給電アンテナ１１の受信信号からチャンネルを選択し周波数変換をする第１のチャンネル選択部、１６は第２の給電アンテナ１３の受信信号からチャンネルを選択し周波数変換をする第２のチャンネル選択部、１７は第１のチャンネル選択部１５の信号を復調処理し、受信電力や雑音等の受信状態情報Ｒｓ１を提供する第１のデジタル復調部、１８は第２のチャンネル選択部１６の信号を復調処理し、受信電力や雑音等の受信状態情報Ｒｓ２を提供する第２のデジタル復調部である。
【００３２】
２０は、第１のデジタル復調部１７および第２のデジタル復調部１８からのデジタル信号をダイバーシチ合成して合成デジタル信号を出力するとともに、第１のデジタル復調部１７および第２のデジタル復調部１８から出力される受信状態情報Ｒｓ１およびＲｓ２を合成受信状態情報Ｒｓｓとして生成するダイバーシチ合成部である。
【００３３】
制御部５は、第１のデジタル復調部１７および第２のデジタル復調部１８から受信状態情報Ｒｓ１およびＲｓ２を受け取り、さらにダイバーシチ合成部２０からも合成受信状態情報Ｒｓｓを受け取り、表示情報を生成する。
制御部５はまた、第１の無給電アンテナ１１ｂに印加する電圧（指向性制御信号）Ｄｃ１を変化させることで、第１のエスパアンテナ１２の指向性を変化させ、第２の無給電アンテナ１３ｂに印加する電圧（指向性制御信号）Ｄｃ２を変化させることで、第２のエスパアンテナ１４の指向性を変化させる。
【００３４】
デコーダ６は、ダイバーシチ合成部２０からの合成デジタル信号を映像信号に変換する。
表示信号作成部７は、デコーダ部６からの映像信号と、制御部５からの各方位に合わせた合成受信状態情報Ｒｓｓをもとに作られた表示信号を混合して表示信号を作成する。
【００３５】
図１０はこの発明の実施の形態５における、チャンネルの受信状態情報Ｒｓ１、Ｒｓ２およびＲｓｓを２次元に表示した例を示す。
【００３６】
以下、図９および図１０を用いて本実施の形態５おけるテレビジョン受信装置について説明する。
【００３７】
制御部５は、第１の無給電アンテナ１２および第２の無給電アンテナ１４に印加される電圧を段階的に変化させ、これにより第１のエスパアンテナ１２及び第２のエスパアンテナ１４の指向性を段階的に変化させる。例えば最大受信感度の方向（アンテナの向き）が１回転（３６０度）の１６分の１に当たる角度ずつ変化するように指向性を変化させる。そして、最大受信感度が各方向にあるときの、受信状態を表す情報を収集し、解析する。
この情報の収集及び解析に当たっては、例えば一定時間毎の電力を測定することで受信電力を得ることができ、またデジタル信号のパイロット信号から雑音電力等の受信状態情報を作成することができる。
この情報の収集及び解析は、第１及び第２のデジタル復調部１７及び１８から出力される第１及び第２のエスパアンテナ１２及び１４の受信状態情報Ｒｓ１およびＲｓ２、並びにダイバーシチ合成部２０から出力される合成受信状態情報Ｒｓｓに基づいて行われる。
【００３８】
これらの受信状態情報Ｒｓ１、Ｒｓ２およびＲｓｓはメモリ９に記憶されると共に、受信状態情報Ｒｓ１、Ｒｓ２およびＲｓｓに対応した表示信号Ｄｄが制御部５で生成され、表示信号作成部７において、デコーダ部６からの映像信号Ｖｄに重畳される。表示信号作成部７からの映像信号が表示部８に供給されて表示が行われる。
【００３９】
制御部５から出力される表示信号Ｄｄは、第１のエスパアンテナ（左アンテナ）１２及び第２のエスパアンテナ（右アンテナ）１４については、受信状態情報Ｒｓ１およびＲｓ２として、受信装置を基準とした方位毎の受信電力や雑音の大きさを例えば図１０のような極座標上の連続した線Ｃ１〜Ｃ３で表すものであり、合成受信状態情報Ｒｓｓについては、最適受信方向を示す矢印で表すものである。また、図１０に示す例では、第１のエスパアンテナ（左アンテナ）１２の受信状態情報Ｒｓ１と、第２のエスパアンテナ（右アンテナ）１４の受信状態情報Ｒｓ２と、合成受信状態情報Ｒｓｓがそれぞれ画面上の異なる位置、例えば、図示のように左上、右上、中央下部に表示されており、それぞれの位置に、「左アンテナ」、「右アンテナ」、「合成情報」と言う文字ＣＡＬ、ＣＡＲ、ＣＳＹで、それぞれの表示の意味するものが示され、「正面」、「背面」、「左」、「右」と言う文字ＣＦ，ＣＢ，ＣＬ，ＣＲも合せて表示されており、これにより受信装置を基準とした方位が表される。なお、実施の形態１に関して述べたように、このような文字の代わりに、特定の記号を用いても受信装置を基準とした方位を表すこととしても良い。
【００４０】
また、上記の例では、左右のアンテナから得られる夫々の受信状態情報Ｒｓ１およびＲｓ２と合成後の受信状態情報Ｒｓｓをすべてを同じ画面上に表示することとしているが、左右のアンテナの情報のみを表示して良く、合成後の情報のみを表示するようにしても良い。
【００４１】
実施の形態６．
図１１は、この発明の実施の形態６における、テレビジョン受信装置のブロック図である。
図１１において、図１と同じ符号は同一または対応する部材を示す。
実施の形態１では、受信アンテナ１ａ及び無給電アンテナ１ｂを備えたエスパアンテナ２を用いているが、図１１の実施の形態では、エスパアンテナ２の代わりに複数の指向性アンテナ５１ａ〜５１ｄを配置しアンテナ選択部５２を備え、選択信号Ｓｓにより、複数の指向性アンテナ５１ａ〜５１ｄの出力をアンテナ選択部５２で選択している。この場合には、複数の指向性アンテナ５１ａ〜５１ｄと選択部５２とで、指向性可変アンテナ装置５３が構成されている。
このような構成にしても、アンテナの数と同じ数の方向（例えば図示のように４本のアンテナ５１ａ〜５１ｄを用いた場合には４つの方向）の受信電力、ノイズなどを獲得することができ、実施の形態１と同様の効果を得ることができる。
【００４２】
実施の形態７．
図１２は、この発明の実施の形態７における、テレビジョン受信装置のブロック図である。
図１２において、図１と同じ符号は同一または対応する部材を示す。３１は第１の受信アンテナ、３２は第２の受信アンテナ、３３は第３の受信アンテナ、３４は第４の受信アンテナ、３５は第１のチャンネル選択部、３６は第２のチャンネル選択部、３７は第３のチャンネル選択部、３８は第４のチャンネル選択部、３９は第１乃至第４の受信アンテナ３１〜３４からの信号に複素重み付け係数を乗算することによりアダプティブビームを形成するともに、到来波の方向を推定し、到来波方向推定結果情報Ｄｅを出力するアダプティブアレイ制御部である。
【００４３】
図１２のデジタル復調部４は、アダプティブアレイ３９からの信号を復調処理し、受信電力や雑音等の受信状態情報Ｒｓを提供する。
制御部５は受信状態情報Ｒｓをデジタル復調部４から受け取り、表示情報を生成する。
制御部５はまた、指向性制御信号（指向性を制御する各アンテナの合成係数）Ｄｃによりアダプティブアレイ３９を制御することで、アダプティブアレイ３９と第１乃至第４の受信アンテナ３１〜３４とで構成される指向性可変アンテナの指向性を制御する。符号６、７、８は、実施の形態５と同様のものを示す。
【００４４】
以下、図１２を用いて本実施の形態７おけるテレビジョン受信装置について説明する。
【００４５】
アダプティブアレイ３９では、第１〜第４の受信アンテナ３１〜３４の受信信号を受信し、これらの受信信号をＭＭＳＥ等の推定アルゴリズムによる演算を行い、主波や副波の到来方向を推測し、到来波方向推定結果情報を生成する。到来波方向推定結果情報Ｄｅは、制御部５に送られる。
【００４６】
また、デジタル復調部４ではアダプティブアレイ３９からの受信信号を分析、解析し、例えば一定時間毎の電力を測定することで受信電力を得る。この受信電力情報と到来波方向推定結果情報をもとに、制御部５で各方位の受信電力を演算し表示する。
【００４７】
なお、上記の実施の形態１〜６では、任意のタイミングで受信状態情報Ｒｓを表示するものとして説明しているが、例えば各チャンネルの各方向の受信状態情報Ｒｓの表示を、受信装置の特定の状態（例えば設置調整状態）でのみ表示するように制御しても良い。
また、表示のオン／オフ機能を持たせるように構成することで、特定の状態のとき、例えば受信状態が悪化した場合にのみ、各方向の受信状態情報を表示するように制御してもよい。さらにまた、常時（例えばテレビジョン放送受信時は常時表示するようにしても良い。
なお、このような制御は、制御部５で行われ、表示の選択は例えばリモコン１０ｂ、リモコン受信部１０ａを用いて行われる。
【図面の簡単な説明】
【００４８】
【図１】実施の形態１におけるテレビジョン受信装置のブロック図である。
【図２】実施の形態１における単一チャンネルの受信状態情報を２次元に表示した一例を示す図である。
【図３】実施の形態１における単一チャンネルの受信状態情報を３次元に表示した一例を示す図である。
【図４】実施の形態２における複数チャンネの受信状態情報を２次元表示した一例を示す図である。
【図５】実施の形態３における最適受信方向の表示のために行われる制御部５による処理のフローチャートである。
【図６】実施の形態３における最適受信方向の表示の一例を示す図である。
【図７】実施の形態４における受信状態表示のために行われる制御部５による処理のフローチャートである。
【図８】実施の形態４における最適受信方向の表示の一例を示す図である。
【図９】実施の形態５におけるテレビジョン受信装置のブロック図である。
【図１０】実施の形態５における受信状態情報の表示の一例を示す図である。
【図１１】実施の形態６におけるテレビジョン受信装置のブロック図である。
【図１２】実施の形態７におけるテレビジョン受信装置のブロック図である。
【符号の説明】
【００４９】
１ａ  受信アンテナ、  １ｂ  無給電アンテナ、  １ｃ  バリキャップ、  ２  エスパアンテナ、  ３  チャンネル選択部、  ４  デジタル復調部、  ５  制御部、  ６  デコーダ部、  ７  表示信号作成部、  ８  画面表示部、  ９  メモリ、  １０ａ  リモコン受信部、  １０ｂ  リモコン、  １１ａ  第１の受信アンテナ、  １１ｂ  第１の無給電アンテナ、  １１ｃ  バリキャップ、  １２  第１のエスパアンテナ、  １３ａ  第２の受信アンテナ、  １３ｂ  第２の無給電アンテナ、  １３ｃ  バリキャップ、  １４  第２のエスパアンテナ、  １５  第１のチャンネル選択部、  １６  第２のチャンネル選択部、  １７  第１のデジタル復調部、  １８  第２のデジタル復調部、  ２０  ダイバーシチ合成部、  ３１  第１の受信アンテナ、  ３２  第２の受信アンテナ、  ３３  第３の受信アンテナ、  ３４  第４の受信アンテナ、  ３５  第１のチャンネル選択部、  ３６  第２のチャンネル選択部、  ３７  第３のチャンネル選択部、  ３８  第４のチャンネル選択部、  ３９  アダプティブアレイ制御部、  ５１ａ〜５１ｄ  指向性アンテナ、  ５２  アンテナ選択部。
【図１】
2007312189.tif 000003
【図２】
2007312189.tif 000004
【図３】
2007312189.tif 000005
【図４】
2007312189.tif 000006
【図５】
2007312189.tif 000007
【図６】
2007312189.tif 000008
【図７】
2007312189.tif 000009
【図８】
2007312189.tif 000010
【図９】
2007312189.tif 000011
【図１０】
2007312189.tif 000012
【図１１】
2007312189.tif 000013
【図１２】
2007312189.tif 000014